(57)【特許請求の範囲】
【請求項１】
ネットの縦線及び横線として使用される所要の直径の線材を、
側面視において線材の軸線方向に山部と谷部が交互に形成される波形形状に形成し、山部の最上縁と谷部の最下縁の波形高低差Ｈと線材の直径Ｄとの比率をＨ／Ｄ＝２．２４〜２．５２とし、側面視に対して線材の軸線回りに９０度方向となる平面視において線材の軸線方向に山部と谷部が交互に形成される波形形状に形成し、山部の最外縁と谷部の最外縁の波形振幅差Ｂと線材の直径Ｄとの比率をＢ／Ｄ＝１．４４〜１．４８とし、波形形状の線材の側面視及び平面視における隣り合う山部間又は谷部間のピッチλの間隔を同一にすると共に、ピッチλと直径Ｄとの比率をλ／Ｄ＝７．６〜８．２とし、側面視における山部と平面視における山部の位置又は側面視における谷部と平面視における谷部の位置を、λ／４±λ／２０ずらして形成し、
波形形状の波形振幅差Ｂの小さい方がネットの平面向きになるように、波形形状の波形高低差Ｈの大きい方がネットの厚みになるようにして、側面視における縦線及び横線の互いの山部を対応する谷部にピッチλの所要倍数の間隔をあけて係合させながら所要の大きさの方形の網目のネットに形成したことを特徴とする動物浸入防止フェンス用ネット。
【請求項２】
方形の網目は０度〜４０度の変位角度で平行四辺形状に変形可能である請求項１記載の動物侵入防止フェンス用ネット。
【発明の詳細な説明】
【技術分野】
【０００１】
この発明は、動物侵入防止のために設置するフェンスに使用されるネットに係り、特に、ネットの方形の網目が平行四辺形状に自在に変形することによりフェンスが敷設される地面が平坦地のみならず傾斜地にも自在に設置可能な動物侵入防止フェンス用ネットに関するものである。
【背景技術】
【０００２】
山間部などの鉄道や自動車道或いは各種の施設には、山に生息する例えば狐、狸、イノシシなどの動物が侵入するのを防ぐ動物侵入防止フェンスが設置されていることがある。そして、これに使用するものとして次のようなフェンスやネット等が開発され、出願されている。
特許文献１の発明の構成は、「縦線と横線が組まれた、クリンプされた線材を使用した金網からなるフェンス本体が複数の支柱間に固定されているフェンスにおいて、前記金網は、波形凹凸部分が形成された縦線と横線が各々縦横平行に配置されてなり、前記縦線は、隣接する半ピッチずれた２本線以上の横線の凹凸部分に通されて係合され、この２本線以上の横線を１組として、前記横線の組の上、および下の横線の組が互いに３ピッチ以上離れて、金網が平行四辺形に変形可能なことを特徴とするフェンス（請求項１）」。叉「前記縦線および横線の線径が、波型の凹部の深さ（ｈ）以下であることを特徴とする請求項１記載のフェンス（請求項２）」。なお請求項３、４は省略。そして特許文献１の発明では、クリンプされた線材を使用した金網からなるフェンスは勾配が０°から約３０°の範囲で平行四辺形を保持して自由に変形できると共に、柱・胴縁への取り付けが自由であることにより、平地に設置できるのは勿論、どんな傾斜地でも、現場にて角度を決めて容易に施工可能である、としている。
特許文献２の発明の構成は、「それぞれ波形成形をした縦線と横線の交差編みによって構成し、縦線の波形の波の形を横線の波形の波の形よりもゆるやかに形成して横線と縦線が編み上がった状態で相互鋏状に幾分動き得るように成し、金網全体を菱形状に変形可能に構成してなるフェンス用金網（請求項３）」。なお請求項１、２は省略。そして特許文献２の発明では、金網の縦線と横線が鋏状に動き得ることで、金網全体を菱形に変形させることができるから、地盤に高低差のある場所に設置するときは、上下にずれた支柱間に適合するよう金網の方を変形させることができ、従来例のように金網を切り揃えてやる必要がなくなる、としている。
特許文献３の発明の構成は、「横胴縁および縦胴縁を回動可能に連結し、これら胴縁に囲まれた金綱部分を構成する各列線の交点を単に接触状態に保持せしめてなる傾斜地布設可能なネットフェンス（請求項１）」。なお請求項２は省略。そして特許文献３の発明では、強度の大きい例えばアルミ被覆鋼線を採用し、単に接触だけの編み込みで十分な強度維持を行なわせて斜め変形を可能にし、胴縁も変形自在に構成したから、平地のみならず傾斜地においても何等の困難なく傾斜になじんだ取付ができるものであって、取付作業が容易な上取付後の外観をとくに美しく保持できるなど、としている。
このように、特許文献１〜３の発明にあっては、何れも、フェンスのネットはその網目が平行四辺形状に変形して平坦地のみならず傾斜地にも自在に対応できるとしている。
また、これら前記の特許文献１〜特許文献３の発明にあっては、ネットを構成する縦線及び横線は側面からみると波形凹凸形状に形成され、側面視が波形凹凸形状に形成された縦線及び横線を平面からみた平面視では直線状に形成されている。そして縦線及び横線の相互の凹部と凸部とをそれぞれ係合させながらネット状に形成されている。
【０００３】
ところで、動物侵入防止フェンス用のネットではないが、ネットを構成する縦線と横線が螺旋体のものからなる特許文献４の発明が出願されている。この特許文献４の発明の構成は、「所要の直径の線材を、螺旋径が線材径の約２倍で相対する形状の山部及び谷部が軸線方向へ交互に形成されると共に谷部が螺旋中心より外側に位置する所要のリード及びピッチで所定の方向へ巻回して形成された螺旋体を縦線及び横線とし、相互の山部を谷部に係合させながら所要の網目の網体に形成した螺旋構造物（請求項７）」。そして、特許文献４の発明では、上記のように形成された網６５は線材径の約２倍の螺旋径で螺旋形成された螺旋体６1・６３の山部６１a・６３a及び谷部６１ｂ・６３ｂが互いに係合し合うため、網６５に対して網目を拡大或いは縮小させる方向の力が作用した際、互いに係合し合う山部６１a・６３a及び谷部６１ｂ・６３ｂの斜面によりこの力を三次元方向へ分散させながら受承するため、網目の大きさが変化するのを防止することができる、としている。
【先行技術文献】
【特許文献】
【０００４】
【特許文献１】特開２００６−１５２６１６
【特許文献２】実公平６−３３１５０
【特許文献３】実開昭６１−８５６７０
【特許文献４】特開平８−１５３３２１
【発明の概要】
【発明が解決しようとする課題】
【０００５】
ネットを形成する縦線及び横線の波形凹凸形状のピッチを一般に狭くすると、縦横に交差係合する凹部と凸部の係合状態が高まり交差箇所での網目の平面内角度方向への変形が拘束されて、方形の網目の平行四辺形状への変形の自由度が小さくなってネット全体が変形しにくくなり、ネット設置場所の地形の傾斜に追従できなくなる。
このため、特許文献１の発明にあっては、縦線および横線の線径が、波型の凹部の深さ（ｈ）以下にしている（請求項２）。つまり、波型の凹部に凸部を遊嵌状に係合させることで、縦横に交差係合する凹部と凸部の係合状態を緩やかにして、交差箇所での方形の網目の平面内角度方向への変形の自由度を高めている。
また、特許文献２の発明にあっては、縦線又は横線の何れかの波形凹凸形状のピッチをゆるやかに（長く）している（請求項３）。つまり、凹部と凸部の傾斜角度を小さくしてゆるやかにすることで、凹部の緩やかな傾斜にそって係合する他方の線材（縦線又は横線）がスライドでき、交差箇所での方形の網目の平面内角度方向への変形の自由度を高めている。
しかしながら、これらのような構造にすると、縦線および横線の凹部と凸部の係合状態が緩やかなため、現場搬送の途中で或いは現場作業中に、その係合部分で線材が横又は縦にずれて網目が崩れネットとして使用できなくなることがあり、その取り扱いが非常に面倒である。また、このようなネットで形成されたフェンスを設置したとき、動物はネットの網目の中を通過しようとして力づくで網目を広げることがあり、この場合、係合部分で線材が横又は縦に容易にずれて網目が広がり、動物がその広げた網目を通過して侵入し、動物侵入防止フェンスとして機能しなくなることがある。
なお、特許文献３の発明にあっては、ネットを形成する縦線及び横線の波形凹凸形状についての構造上の特徴について何ら言及されていない。しかし、本願の出願人の実験によれば、縦線及び横線の線材が一定の強度を有する場合には、側面視が波形凹凸形状に形成され平面視で直線状に形成された縦線及び横線を縦横に交差させて網を形成したとき、上述した特許文献１又は特許文献２の構成にしないと交差箇所での角度方向への変形の自由度を高めることが困難との認識を得ている。縦線及び横線の線材の強度が弱い場合には人力で平行四辺形状へ変形可能であるが、同様に動物が力ずくで網目を広げようとしたとき線材の強度が弱いと網目が簡単に広がり動物の侵入を防ぐことができない。
これらに対して、特許文献４の発明にあっては、本願の出願人の実験によれば、図２１に図示された網目は強固であり、イノシシのような動物でも網目を広げることは困難との認識を得たが、同時に平行四辺形状への変形も全く困難との認識を得た。つまり、傾斜地にこのネットを使用したフェンスを設置しようとすると、従来のように、ネットの一部を傾斜地の傾斜角度に合わせて切断する必要がある。
【０００６】
この発明は、上記のような課題に鑑み、その課題を解決すべく創案されたものであって、その目的とするところは、フェンスに使用されるネットの方形の網目が平行四辺形状に自在に変形することにより、フェンスが設置される地面が平坦地のみならず傾斜地にも自在に追従して設置を可能にするのは勿論のこと、動物が侵入のためにネットの網目を広げようとしても簡単に広がることのない動物侵入防止フェンス用ネットを提供することにある。
【課題を解決するための手段】
【０００７】
以上の課題を達成するために、この発明は、ネットの縦線及び横線として使用される所要の直径の線材を、
側面視において線材の軸線方向に山部と谷部が交互に形成される波形形状に形成し、山部の最上縁と谷部の最下縁の波形高低差Ｈと線材の直径Ｄとの比率をＨ／Ｄ＝２．２４〜２．５２とし、側面視に対して線材の軸線回りに９０度方向となる平面視において線材の軸線方向に山部と谷部が交互に形成される波形形状に形成し、山部の最外縁と谷部の最外縁の波形振幅差Ｂと線材の直径Ｄとの比率をＢ／Ｄ＝１．４４〜１．４８とし、波形形状の線材の側面視及び平面視における隣り合う山部間又は谷部間のピッチλの間隔を同一にすると共に、ピッチλと直径Ｄとの比率をλ／Ｄ＝７．６〜８．２とし、側面視における山部と平面視における山部の位置又は側面視における谷部と平面視における谷部の位置を、λ／４±λ／２０ずらして形成し、
波形形状の波形振幅差Ｂの小さい方がネットの平面向きになるように、波形形状の波形高低差Ｈの大きい方がネットの厚みになるようにして、側面視における縦線及び横線の互いの山部を対応する谷部にピッチλの所要倍数の間隔をあけて係合させながら所要の大きさの方形の網目のネットに形成した手段よりなるものである。
【発明の効果】
【０００８】
課題を解決するための手段よりなるこの発明に係る動物侵入防止フェンス用ネットによれば、フェンスに使用されるネットの方形の網目を平行四辺形状に自在に変形させることができ、方形の網目は０度〜４０度の変位角度で平行四辺形状に変形可能となる。これにより、フェンスが設置される地面が平坦地のみならず傾斜地にも自在に追従して設置をさせることができる。しかも、波形高低差Ｈの大きい側面視における縦線及び横線の互いの山部を対応する谷部に係合させるので、縦線と横線との係合を高めて交差部分がずれるのを防ぐことができ、動物が侵入のためにネットの網目を広げようとしても簡単に広がるのを阻止でき、動物侵入防止フェンス用ネットとして使用することできるという、極めて新規的有益なる効果を奏するものである。
【図面の簡単な説明】
【０００９】
【図１】（Ａ）はこの発明を実施するための形態を示す線材の側面図、（Ｂ）はこの発明を実施するための形態を示す線材の平面図、（Ｃ）はこの発明を実施するための形態を示す線材の正面図である。
【図２】（Ａ）はこの発明を実施するための形態を示すネットの部分拡大平面図、（Ｂ）はこの発明を実施するための形態を示すネットの部分拡大側面図である。
【図３】この発明を実施するための形態を示すネットの変形前の平面図である。
【図４】この発明を実施するための形態を示すネットの変形後の平面図である。
【図５】この発明を実施するための形態を示すネットの変形後の部分拡大平面図である。
【図６】この発明を実施するための形態を示すネットを使用した動物侵入防止フェンスの部分正面図である。
【発明を実施するための形態】
【００１０】
以下、図面に記載の発明を実施するための形態に基づいて、この発明をより具体的に説明する。
図において、動物侵入防止のために設置するフェンス１に使用されるネット２は、フェンス１が設置される地面が平坦地ではネット２の網目２１を長方形又は正方形の方形の状態で設置される。傾斜地の場合には、その方形の網目２１が０度〜４０度の変位角度で平行四辺形状に自在に変形するので、その傾斜角度に合わせてネット２の網目２１を変形させることで、傾斜地にもネット２の一部をカットすることなく設置することができる。しかも、このネット２の網目２１は、動物が侵入のためにこれを広げようとしても簡単に広がることもなく、このため、このネット２を使用したフェンス１は動物が侵入するのを防止することができる。
【００１１】
ネット２の縦線３ａ及び横線３ｂとして使用される線材３は、所要の直径Ｄからなる。線材３の断面は円形になっている。線材３の材質には例えば金属製、合成樹脂製、セラミック、炭素繊維等が使用される。山間部での設置作業にあっては、ネット２を作業が直に持って運ぶことになる。そこで、山間部での作業性及び安全性のために、線材３の材質として、重たい金属製に代わり、軽量のプラスチックなどの合成樹脂の使用が望ましい。
【００１２】
線材３は、側面視つまり側面からみて、線材３の軸線方向に山部３１と谷部３２が交互に形成される波形形状に形成されている。山部３１の最上縁３１ａと谷部３２の最下縁３２ａの波形高低差Ｈと線材３の直径Ｄとの比率がＨ／Ｄ＝２．２４〜２．５２の範囲内になるように波形形状に形成されている。この比率は各種の実験の結果、得られたものである。
【００１３】
波形高低差Ｈと線材３の直径Ｄとの比率のＨ／Ｄが２．２４より小さい場合には、縦線３ａと横線３ｂとの係合状態が強くなって、方形の網目２１が平行四辺形状に変形する変位角度が４０度よりも小さくなる。比率のＨ／Ｄが小さくなるのに比例して変位角度も小さくなって、フェンス１の設置箇所の傾斜地形に追従しにくくなる。また、この変位角度の４０度は、これまでのフェンス１の設置の実務経験から照らしてみて、これよりも地形の傾斜角度が大きい場合にはフェンス１の設置作業が難しく、作業の危険度が増すことになる。
【００１４】
側面視に対して線材３の軸線回りに９０度方向となる平面視つまり平面からみて、線材３の軸線方向に山部３３と谷部３４が交互に形成される波形形状に形成されている。山部３３の最外縁３３ａと谷部３４の最外縁３４ａの波形振幅差Ｂと線材の直径Ｄとの比率がＢ／Ｄ＝１．４４〜１．４８の範囲内になるように波形形状に形成されている。この比率は各種の実験の結果、得られたものである。
【００１５】
本願発明の特徴は、線材３は側面視において山部３１と谷部３２が交互になった波形形状が形成されていると共に、平面視においても側面視の波形高低差Ｈより小さい波形振幅差Ｂを有する山部３３と谷部３４が交互になった波形形状が形成されていることである。線材３は正面からみると、楕円型螺旋状になっており、叉螺旋方向は右巻き或いは左巻きの何れでもよい。特許文献１〜特許文献３の発明にあっては、線材の側面視においては本願発明と同様に山部と谷部が交互になった波形形状が形成されているが、線材の平面視においては本願発明と異なり波形形状に形成されてなく、直線状になっている。
【００１６】
本願の出願人は種々の実験を通じて、側面視で波形形状が形成された線材３の平面視において、これを直線状から波形形状に徐々に変形させることで、縦線３ａと横線３ｂからなる網目２１を広げる方向に働く力に対しての抵抗力を低下させることなく、長方形又は正方形からなる方形の網目２１の平行四辺形状への変形の自由度を高めることができるのを知ったのである。
【００１７】
また、実験を通じて、線材３の平面視での波形形状の波形振幅差Ｂが特定の値までは徐々に方形の網目２１の平行四辺形状への変形の自由度は高まる。しかし、波形振幅差Ｂが特定の値を超えると、あたかも逆比例するかのようにして、今度は逆に方形の網目２１の平行四辺形状への変形の自由度が徐々に小さくなることを知った。側面視の波形高低差Ｈと平面視の波形振幅差Ｂが同一である特許文献４では、方形の網目２１の平行四辺形状への変形の自由度は殆ど無いことである。そのときの実験結果を表１に示す。
【００１８】
【表１】
0005907547.tif 000002
【００１９】
波形形状の線材３は、その側面視の隣り合う山部３１、３１間と、平面視の隣り合う山部３３、３３間とのピッチλの間隔が同一になっている。或いはその側面視の隣り合う山部３２、３２間と、平面視の隣り合う山部３４、３４間とのピッチλの間隔が同一になっている。またこのときのピッチλと線材３の直径Ｄとの比率がλ／Ｄ＝７．６〜８．２の範囲内になるように波形形状に形成されている。この比率は各種の実験の結果、得られたものである。
【００２０】
側面視における山部３１と平面視における山部３３の位置が約λ／４ずらして形成されている。制作誤差は±λ／２０程度である。或いは側面視における谷部３２と平面視における谷部３４の位置が約λ／４ずらして形成されている。製作誤差は±λ／２０程度である。約λ／４ずれていることにより、方形の網目２１の平行四辺形状への変形の自由度は高まり、方形の網目２１は０度〜４０度の変位角度で平行四辺形状に変形可能となっている。
【００２１】
側面視における縦線３ａ及び横線３ｂの互いの山部３１を対応する谷部３２に、ピッチλの所要倍数、例えば、数倍の間隔をあけて係合させながら所要の大きさの長方形又は正方形からなる方形の網目２１のネット２に形成されている。波形高低差Ｈの大きい山部３１と谷部３２を係合させることで、網目２１の広がりに対する抵抗となる。
【００２２】
次に、上記発明を実施するための形態の構成に基づく作用について以下説明する。
線材３の縦線３ａと横線３ｂとを縦横に組んで一定の大きさの網目２１を有するネット２を形成する場合には、縦線３ａ及び横線３ｂは共に、波形形状の波形振幅差Ｂの小さい方がネット２の平面向きになるようにする。即ち波形形状の波形高低差Ｈの大きい方がネット２の側面つまりネット２の厚みになるようにして編み上げる。横線３ｂ及び縦線３ａの波形高低差Ｈの大きい山部３１と谷部３２とを所定の間隔をあけて交差しながら係合させて編み上げていく。この場合、前後又は左右箇所での、上下の交差は常に反対になるように編み上げる。
【００２３】
前述したように、線材３の縦線３ａ及び横線３ｂは、波形形状の波形振幅差Ｂの小さい方を平面にし、波形形状の波形高低差Ｈの大きい方を側面として、ネット２に編み上げる構成にすることで、網目２１を広げる方向に作用する力に対してその抵抗力を低下させることなく、方形の網目２１の平行四辺形状への変形の自由度を高めることができる。これにより、ネット２の長方形又は正方形の方形の網目２１は０度〜４０度の変位角度で平行四辺形状に変形可能となったのである。
【００２４】
このようにして、製作されたネット２を山間部の現場に運び、例えば鉄道や高速自動車道に沿って動物侵入防止用のフェンス１を設置する。支柱１１を所定の間隔で設置し、支柱１１の間にこの発明に係るネット２を取り付ける。フェンス１を設置する箇所の地面が平坦地の場合にはネット２を変形させる必要がないので、ネット２の網目２１は長方形又は正方形の方形の状態で取り付けられる。
【００２５】
これに対して、フェンス１を設置する箇所の地面が傾斜地の場合には、傾斜地の傾斜角度に合わせてネット２の網目２１を変形させる。ネット２は横線３ｂに対して縦線３ａを例えば上側にずらすと、横線３ｂ及び縦線３ａの山部３１と谷部３２とが交差して係合しているので、ネット２の網目２１は、山部３１と谷部３２とが交差して係合している４箇所を回動支点として、向かい合う２箇所の角度が９０度より大きくなり、別の向かい合う２箇所の角度は９０度よりそれぞれ小さくなる。大きくなる角度の増加分と小さくなる角度の減少分は同一である。長方形又は正方形の直角四角形であったネット２の網目２１は、傾斜地の勾配に合った平行四辺形に変形する。
【００２６】
全体が平行四辺形状に変形したネット２を傾斜地に設置された支柱１１同士の間に取り付ける。全体が平行四辺形状に変形したネット２は、その下端が傾斜地の地面に密着するので、ネット２の下端と傾斜地の地面との間に隙間が作られるのを防ぐことができる。これによって、動物がネット２の下端と傾斜地の地面と隙間をくぐり抜けようとするのを未然に防止することができる。
【００２７】
ネット２は地面の傾斜に追従するので、ネット２の下端側を地面の傾斜角度に合わせて切断する必要もなくなり、切断に伴うネット２の材料の無駄が生じることもない。また、現地でのネット２の切断時にネット２の縦線３ａと横線３ｂとが解けて、ネット２を維持できなくなって、ネット２として使用不能になるという事態を招くこともない。
【００２８】
なお、この発明は上記発明を実施するための形態に限定されるものではなく、この発明の精神を逸脱しない範囲で種々の改変をなし得ることは勿論である。
【符号の説明】
【００２９】
１    フェンス
１１    支柱
２    ネット
２１    網目
３    線材
３ａ  縦線
３ｂ  横線
３１    山部
３１ａ  最上縁
３２    谷部
３２ａ  最下縁
３３    山部
３３ａ  最外縁
３４    谷部
３４ａ  最外縁
Ｂ    波形振幅差
Ｄ    直径
Ｈ    波形高低差
λ    ピッチ
【図１】
0005907547.tif 000003
【図２】
0005907547.tif 000004
【図３】
0005907547.tif 000005
【図４】
0005907547.tif 000006
【図５】
0005907547.tif 000007
【図６】
0005907547.tif 000008